(57)【要約】【課題】制御基板の発光素子の組み立て時の信頼性を高める。【解決手段】操作表示パネルベース３８と、発光素子４４を積載した制御基板４０と、制御基板４０を保持収納した制御基板収納ケース４２と、発光素子４４の周囲を覆い、光を操作表示パネル３６に導く導光経路４５を有する操作パネル３９とを備え、操作表示パネルベース３８に操作パネル３９を挟んで制御基板収納ケース４２を締結する際に、制御基板収納ケース４２に設けた複数個のガイド穴５０に、操作パネル３９に一体形成した複数個の位置決めピン４９を挿入するとともに、発光素子４４が導光経路４５の先端部４８に覆われる前に、位置決めピン４９がガイド穴５０に係合状態になり、位置決めがなされる構成としたことにより、組み立て時に、発光素子４４が導光経路４５の先端４８側壁に当たることなく円滑に組み立てが可能となり、生産性向上し不良率低減に効果が出る。【選択図】図２
2010069192.tif 000002
【特許請求の範囲】
【請求項１】
洗濯物を収納して回転駆動されるドラムを収納した洗濯機筐体と、前記洗濯機筐体の前面上方に配設された操作表示パネルを貼り付けた操作表示パネルベースと、スイッチやＬＥＤ等の発光素子を積載した制御基板と、前記制御基板を防湿処理しつつ保持収納した制御基板収納ケースと、前記制御基板の発光素子の周囲を覆いその光を前記操作表示パネルに導く導光経路やスイッチを押圧操作するボタン部を有する操作パネルとを備え、前記操作表示パネルベースに前記操作パネルを挟んで制御基板収納ケースを締結する際に、前記制御基板収納ケースに設けた複数個のガイド穴に、前記操作パネルに一体形成した複数個の位置決めピンを挿入するとともに、前記発光素子が前記導光経路の導光経路壁体の先端部に覆われる前に、前記位置決めピンが前記ガイド穴に係合状態になり、前記制御基板と前記操作パネルとの位置決めがなされる構成としたドラム式洗濯機。
【発明の詳細な説明】
【技術分野】
【０００１】
本発明は、本体上方に制御基板を配設したドラム式洗濯機に関するものである。
【背景技術】
【０００２】
従来、この種の洗濯機の上部枠体への制御基板の取付け構成は、制御基板を収納した制御基板収納部とボタン部を有した操作パネルとを予め固着し、固着状態で上部枠体に取り付ける構成が提案されている（例えば、特許文献１参照）。
【０００３】
図５は、特許文献１に記載された従来のドラム式洗濯機の制御基板の取付け構成を示す上部枠体前部の側面図を示すものである。
【０００４】
図５に示すように、上部枠体３の前部内方にはスイッチ２４や発光ダイオード等の発光素子２３を構成した制御基板９を内蔵し、この制御基板９は表裏両面を防水処理のウレタン樹脂等にてなるポッティング材１７などにて封止するために、制御基板９を下部より覆設するように構成した制御基板収納部１０の内部に固定されている。
【０００５】
このとき、上部枠体３に多様な押圧が作用してもスイッチ２４等に異常な入力の防止ができ、制御基盤９の信頼性を向上させるため、以下に述べる構成としている。
【０００６】
制御基板収納部１０の上面側には、上部枠体３との間にボタン部１１、および制御基盤９に配設された発光素子２３の光を表面に導く導光経路１６を一体に設けた操作パネル１２を制御基板収納部１０の反対側（即ち図５で上方）より被覆するように配し、操作パネル１２と制御基盤収納部１０との取付けを安定させるために前部（図５で左端）において、ネジ１８にて制御基盤収納部１０に形成したボス部２０にネジ止めしており、後部（図５で右端）はＬ字状に形成した爪部１９にて嵌着係止するように構成して一体化している。
【０００７】
制御基盤９を内設した制御基盤収納部１０と、操作パネル１２とは上記のようにネジ止めなどにより、予め固着されユニット部材として構成し、その後上部枠体３に取り付ける構造である。
【特許文献１】特開２００８−６０４６号公報
【発明の開示】
【発明が解決しようとする課題】
【０００８】
前記従来の構成では、発光素子２３と導光経路１６は光漏れを生じないようにしなければならない。光漏れを生じると、表示機能を低下させたり、あい隣あう発光素子の色彩が異なる場合には本来の色彩が変化してしまう。その対応のため、操作パネル１２の導光経路１６と発光素子２３との隙間は、出来るだけ小さくしなければならない。
【０００９】
しかしながら、隙間が小さいと、制御基盤９および制御基盤収納部１０と操作パネル１２とを組み合わせる際に、発光ダイオードやＬＥＤ等の発光素子２３が導光経路１６の先端側壁に当たり、倒してしまうことがある。
【００１０】
発光素子２３は、一般的にＬＥＤチップを透明エポキシ樹脂内に埋め込み、プリント基板に挿入半田接続用のアノードとカソードからの細いリード線を取り出している。従って上記細いリード線が変形しやすく、かつ半田固定部への応力集中を避けねばならない。
【００１１】
組み立て時、注意深く作業しなければならない等作業性が悪いうえに、発光素子２３が導光経路１６の先端側壁に当たって変形した場合には発光素子２３の修正や、最悪の場合には発光素子２３そのものを破損する恐れもあった。
【００１２】
本発明は、前記従来の課題を解決するもので、制御基板に操作パネルを取り付ける際に、制御基板上のＬＥＤ等発光素子が導光経路を構成する壁体などに当たり変形や位置ずれ等を生じる事を防止するドラム式洗濯機を提供する事を目的とする。
【課題を解決するための手段】
【００１３】
前記従来の課題を解決するために、本発明のドラム式洗濯機は、洗濯機筐体の前面上方に配設された操作表示パネルを貼り付けた操作表示パネルベースと、ＬＥＤ等の発光素子を積載した制御基板と、制御基板を防湿処理しつつ保持収納した制御基板収納ケースと、発光素子の周囲を覆い照明を操作表示パネルに導く導光経路を有する操作パネルとを備え、前記操作表示パネルベースに操作パネルを挟んで制御基板収納ケース締結する際に、制御基板収納ケースに設けた複数個のガイド穴に、操作パネルに一体形成した複数個の位置決めピンを挿入するとともに、発光素子が導光経路の導光経路壁体の先端部に覆われる前に、前記位置決めピンが前記ガイド穴に係合状態になり、制御基板と操作パネルとの位置決めがなされる構成としたものである。
【００１４】
これによって、制御基板と操作パネルとを組み合わせる際に、発光ダイオードやＬＥＤ等の発光素子が導光経路の先端側壁に当たりことなく位置決めがなされ、円滑に組み立てが可能となり、生産性向上、不良率低減に効果が出る。
【発明の効果】
【００１５】
本発明のドラム式洗濯機は、制御基板の発光素子の組み立て時の不良を無くする。
【発明を実施するための最良の形態】
【００１６】
第１の発明は、洗濯物を収納して回転駆動されるドラムを収納した洗濯機筐体と、前記洗濯機筐体の前面上方に配設された操作表示パネルを貼り付けた操作表示パネルベースと、スイッチやＬＥＤ等の発光素子を積載した制御基板と、前記制御基板を防湿処理しつつ保持収納した制御基板収納ケースと、前記制御基板の発光素子の周囲を覆いその光を前記操作表示パネルに導く導光経路やスイッチを押圧操作するボタン部を有する操作パネルとを備え、前記操作表示パネルベースに前記操作パネルを挟んで制御基板収納ケースを締結する際に、前記制御基板収納ケースに設けた複数個のガイド穴に、前記操作パネルに一体形成した複数個の位置決めピンを挿入するとともに、前記発光素子が前記導光経路の導光経路壁体の先端部に覆われる前に、前記位置決めピンが前記ガイド穴に係合状態になり、前記制御基板と前記操作パネルとの位置決めがなされる構成としたことにより、発光素子が導光経路の先端側壁に当たり発光素子の変形、破損という不具合の発生が解消され生産性の向上が図れる。
【００１７】
以下、本発明の実施の形態について、図面を参照しながら説明する。なお、この実施の形態によって本発明が限定されるものではない。
【００１８】
（実施の形態１）
図１は本発明の実施の形態におけるドラム式洗濯機の外観斜視図、図２は、同洗濯機の上部枠体前部の部分側断面図、図３は、同洗濯機の制御基板と操作パネルの分解矢視図、図４は、同洗濯機の組み立て途中状態の部分側断面図を示す。
【００１９】
図１に示すように、洗濯機筐体３１は、前面中央に蓋体３４を開閉自在に軸支した前枠板３７、前枠板３７の上方前部には、洗濯機の操作入力ボタンや、行程の進行表示等を行う操作表示パネル３６を配する。
【００２０】
洗濯機筐体３１内部には、モータ３５にて駆動されるドラム３２を回転自在に軸支した水槽３３を配し、操作表示パネル３６からの信号入力により、モータ３５等の制御を行うとともに、行程の進行状態などを操作表示パネル３６に表示する。
【００２１】
図２の上部枠体前部の部分側断面図に示すように、操作表示パネル３６は薄板シート状材質で裏面に接着剤を塗布し操作表示パネルベース３８に貼付被設、あるいはオンサート一体成形加工で貼り付ける。
【００２２】
操作表示パネルベース３８の内方には、スイッチ４３やＬＥＤ等の発光素子４４を積載した制御基板４０と、発光素子４４の周囲を覆って光を表面の操作表示パネル３６部に導く導光経路４５や、スイッチ４３を押圧操作するボタン部４６を一体形成した操作パネル３９を配する。
【００２３】
制御基板４０は、制御基板４０の表裏両面を防水処理のウレタン樹脂等４１で防水密閉状態に制御基板収納ケース４２に保持収納する。
【００２４】
発光素子４４と導光経路４５は、光漏れを生じる事無く表面の操作表示パネル３６部に導かれるように、導光経路壁体４７の先端部４８は、発光素子４４に近接させるとともに、導光経路壁体４７も発光素子４４の周囲を出来るだけ狭い隙間に設定して覆う。
【００２５】
一方、操作パネル３９の制御基板４０側面近傍には、複数個の位置決めピン４９を一体形成するとともに、位置決めピン４９に対応する位置の制御基板収納ケース４２にはガイド穴５０を設け、組み立てた状態では位置決めピン４９はガイド穴５０に挿入され、かつ発光素子４４の先端は導光経路壁体４７の先端部４８より挿入されている。
【００２６】
なお、制御基板４０を収納した制御基板収納ケース４２は、一部に形成した取付けヒンジ５１で操作パネル３９のパネルヒンジ５３を狭持しつつ、操作表示パネルベース３８の裏面に形成したボス部５４にネジ５２で取り付けられる。
【００２７】
図３の分解矢視図に示すように、位置決めピン４９は、操作パネル３９の外周部５５に図で下方に垂下するように一体形成し、一方ガイド穴５０は、制御基板収納ケース４２の外縁に形成したフランジ部５６にガイド筒部５７の内方に構成する。
【００２８】
図４の組み立て途中状態の部分側断面図は、制御基板４０を収納した制御基板収納ケース４２を、操作パネル３９に組み付ける行程の中間状態を示し、位置決めピン４９の先端部５８はガイド筒部５７を通過しガイド穴５０に挿入が開始した状態である。
【００２９】
このとき、発光素子４４の上端部は導光経路壁体４７の先端部４８にはまだ挿入されず微小隙間Ｓが形成される。位置決めピン４９が、ガイド穴５０に挿入され制御基板４０と操作パネル３９の位置決めが完全になされた状態で、すなわち発光素子４４が正しく導光経路４５に挿入される位置決めがなされた状態で、制御基板収納ケース４２を、操作パネル３９に組み付け、その後ネジ５２で締結を完了する。
【００３０】
なお、制御基板４０を収納した制御基板収納ケース４２と操作パネル３９とを操作表示パネルベース３８の裏面に取り付ける構成は、本願では、操作パネル３９のパネルヒンジ５３を狭持しつつ、取付けヒンジ５１を操作表示パネルベース３８の裏面に形成したボス部５４にネジ５２で取り付ける構成としたが、これは制御基板収納ケース４２と、操作パネル３９とが位置決めピン４９とガイド穴５０により、位置決めがなされた状態で、組み立てられるので、予め位置決めして仮組み立て等をする必要が無く、操作パネル３９に操作パネル３９と制御基板収納ケース４２とを重ね合わせていくように組み立てればよい。
【００３１】
以上のように本実施の形態においては、発光素子４４は細いリード線で支えられて制御基板４０に配置されており、導光経路４５の先端部４８が軽くあたった場合でも変形しやすいが、発光素子４４と導光経路４５の位置決めが確実になされるので、作業バラツキ等による不具合の発生が解消され、また発光素子４４と導光経路４５の光もれも少なくなり安定した、見栄えの優れた表示が出来るとともに、円滑に組み立てが可能となり、生産性向上、不良率低減に効果が出る。
【産業上の利用可能性】
【００３２】
以上のように、本発明にかかるドラム式洗濯機の制御基板構成は、発光素子の組み立て時の損傷を解消し信頼性を高めたもので、制御基板と操作パネルの構成の他の電子機器等の用途に適用できる。
【図面の簡単な説明】
【００３３】
【図１】本発明の実施の形態のドラム式洗濯機の外観斜視図
【図２】同洗濯機の上部枠体前部の部分側断面図
【図３】同洗濯機の制御基板と操作パネルの分解矢視図
【図４】同洗濯機の組み立て途中状態の部分側断面図
【図５】従来のドラム式洗濯機の制御基板の取付け構成を示す上部枠体前部の側面図
【符号の説明】
【００３４】
３６  操作表示パネル
３７  前枠板
３８  操作表示パネルベース
３９  操作パネル
４０  制御基板
４２  制御基板収納ケース
４３  スイッチ
４４  発光素子
４５  導光経路
４６  ボタン部
４７  導光経路壁体
４８  先端部
４９  位置決めピン
５０  ガイド穴
【図１】
2010069192.tif 000003
【図２】
2010069192.tif 000004
【図３】
2010069192.tif 000005
【図４】
2010069192.tif 000006
【図５】
2010069192.tif 000007